(57)【特許請求の範囲】
【請求項１】
連なった分包薬が収容され、前記分包薬の排出口が形成されている本体ケースと、
前記本体ケース内に配置される主動ローラーと、
前記本体ケース内に前記主動ローラーに対して平行に配置され、前記主動ローラーの回転に追従して回転する従動ローラーと、
前記主動ローラーの回転を前記従動ローラーに伝える伝達部材と、
前記排出口に配置され、分包紙の接着されていない箇所を切断して前記分包薬を開封するための切断部材と、
前記排出口の近傍に形成されて、前記分包薬同士の継ぎ目を視認可能な確認用窓と、を備え、
前記確認用窓の開口面の垂線から前記排出口までの垂直距離が８ｍｍ以上であり、
前記排出口は前記主動ローラー及び前記従動ローラーよりも低い位置に配置されており、
前記分包薬は、前記主動ローラーと前記従動ローラーとで挟まれて前記主動ローラーの回転によって搬送され、前記主動ローラー及び前記従動ローラーにて下方に折り返されて前記排出口から排出される、
ことを特徴とする分包薬の服薬支援装置。
【請求項２】
前記従動ローラーは前記主動ローラーの軸方向に対して垂直方向に移動可能に配置され、
前記伝達部材は、前記主動ローラーと前記従動ローラーとに８の字状に掛け回された環状の弾性部材であり、
前記伝達部材は、前記主動ローラーの回転を前記従動ローラーに伝えるとともに、前記主動ローラーに前記従動ローラーを引きつける、
ことを特徴とする請求項１に記載の分包薬の服薬支援装置。
【請求項３】
前記主動ローラー及び前記従動ローラーは、全周に渡って径方向に突出し、前記分包薬の両側部を挟持する一対の挟持部をそれぞれ有する、
ことを特徴とする請求項１又は２に記載の分包薬の服薬支援装置。
【請求項４】
前記主動ローラーを回転させるモータを備える、
ことを特徴とする請求項１乃至３のいずれか一項に記載の分包薬の服薬支援装置。
【発明の詳細な説明】
【技術分野】
【０００１】
本発明は、分包薬の服薬支援装置に関する。
【背景技術】
【０００２】
近年では、高齢化などに伴い、定期的な通院、服薬を行う患者が増えている。患者には複数種の薬剤が処方されることが多々ある。複数種の薬剤が処方される場合、服用するタイミングが同じ薬剤については、分包紙にて一つの包装にまとめる一包化が行われている。患者には複数の連なった分包薬が渡され、服用するタイミングでその都度適切な分包薬を切り取り、開封して服薬を行うことになる。朝食後用、昼食後用、夕食後用の一日３回分の分包薬を一週間分渡されると計２１包となり、朝食後に間違って夕食後用の薬剤を服用するなど誤飲のおそれがある。
【０００３】
一包化された薬剤を患者が間違わずに服薬できるよう、種々の服薬を支援する装置が提案されている。例えば、特許文献１の装置では、リールに服薬順に一包化された一連の分包薬が巻き付けられており、服用時刻になると、分包薬を一包ずつ自動で送り出し、切り出している。
【０００４】
また、特許文献２の装置においても、分包薬を一包ずつ自動で送り出すとともに、分包紙に印字されているコードを読み取り、分包紙の切断、開封まで行っている。
【先行技術文献】
【特許文献】
【０００５】
【特許文献１】特開２０１８−１４０１３８号公報
【特許文献２】特許第６３８３８８６号公報
【発明の概要】
【発明が解決しようとする課題】
【０００６】
特許文献１の装置では、一包ずつ分包薬が切り出されるものの、内包されている薬剤を服用すべく分包紙を切断して開封することは、一方の手が不自由な片麻痺患者にとって困難である。
【０００７】
また、特許文献２の装置では、包装紙にコードが印字されていない分包薬に対して利用することができない。そして、装置構成が複雑になりコストが高くなるため、患者が容易に導入できるものでもない。また、分包紙に内包されている薬剤の位置が一定にはならないので、切断位置付近に薬剤があった場合、分包紙の切断ができないおそれもある。
【０００８】
本発明は上記事項に鑑みてなされたものであり、その目的は片麻痺患者であっても使用しやすく、導入しやすい分包薬の服薬支援装置を提供することにある。
【課題を解決するための手段】
【０００９】
本発明に係る分包薬の服薬支援装置は、
連なった分包薬が収容され、前記分包薬の排出口が形成されている本体ケースと、
前記本体ケース内に配置される主動ローラーと、
前記本体ケース内に前記主動ローラーに対して平行に配置され、前記主動ローラーの回転に追従して回転する従動ローラーと、
前記主動ローラーの回転を前記従動ローラーに伝える伝達部材と、
前記排出口に配置され、分包紙の接着されていない箇所を切断して前記分包薬を開封するための切断部材と、
前記排出口の近傍に形成されて、前記分包薬同士の継ぎ目を視認可能な確認用窓と、を備え、
前記確認用窓の開口面の垂線から前記排出口までの垂直距離が８ｍｍ以上であり、
前記排出口は前記主動ローラー及び前記従動ローラーよりも低い位置に配置されており、
前記分包薬は、前記主動ローラーと前記従動ローラーとで挟まれて前記主動ローラーの回転によって搬送され、前記主動ローラー及び前記従動ローラーにて下方に折り返されて前記排出口から排出される、
ことを特徴とする。
【００１０】
また、前記従動ローラーは前記主動ローラーの軸方向に対して垂直方向に移動可能に配置され、
前記伝達部材は、前記主動ローラーと前記従動ローラーとに８の字状に掛け回された環状の弾性部材であり、
前記伝達部材は、前記主動ローラーの回転を前記従動ローラーに伝えるとともに、前記主動ローラーに前記従動ローラーを引きつけることが好ましい。
【００１１】
また、前記主動ローラー及び前記従動ローラーは、全周に渡って径方向に突出し、前記分包薬の両側部を挟持する一対の挟持部をそれぞれ有することが好ましい。
【００１３】
また、前記主動ローラーを回転させるモータを備えていてもよい。
【発明の効果】
【００１４】
本発明によれば、片麻痺患者であっても使用しやすく、導入しやすい分包薬の服薬支援装置を提供できる。
【図面の簡単な説明】
【００１５】
【図１】服薬支援装置の斜視図である。
【図２】服薬支援装置の正面図である。
【図３】服薬支援装置の背面図である。
【図４】服薬支援装置の側面図である。
【図５】カバーを外した状態の服薬支援装置の背面図である。
【図６】図４のＡ−Ａ’断面図である。
【図７】伝達部材の動作を示す図である。
【図８】伝達部材の動作を示す図である。
【図９】分包薬を示す斜視図である。
【図１０】服薬支援装置の動作を説明する図であり、図３のＡ−Ａ’方向を見た断面図である。
【図１１】服薬支援装置の動作を説明する図であり、図１０におけるカバーを外した状態の服薬支援装置の背面図である。
【図１２】服薬支援装置の動作を説明する図であり、図３のＡ−Ａ’方向を見た断面図である。
【図１３】服薬支援装置の動作を説明する図であり、図１２におけるカバーを外した状態の服薬支援装置の背面図である。
【図１４】服薬支援装置の動作を説明する図であり、図３のＡ−Ａ’方向を見た断面図である。
【図１５】服薬支援装置の動作を説明する図であり、図３のＡ−Ａ’方向を見た断面図である。
【図１６】服薬支援装置の動作を説明する図であり、カバーを外した状態の服薬支援装置の背面図である。
【発明を実施するための形態】
【００１６】
図を参照しつつ、本実施の形態に係る分包薬の服薬支援装置（以下、単に服薬支援装置と記す）について説明する。服薬支援装置１は、図１〜６に示すように、本体ケース１０、主動ローラー２０、従動ローラー３０、伝達部材４０、切断部材５０を備える。なお、図６の断面図においては、構造の理解のため、伝達部材５０を省略している。服薬支援装置１は、図９に示す複数の連なった分包薬ＰＭを収容し、一包ずつ順々に取り出して服薬を支援する装置である。なお、本明細書中、分包薬ＰＭとは、複数の薬剤Ｍｅが分包紙ＷＰで閉じられて一包化されている状態を指す。
【００１７】
図１〜６に戻り、本体ケース１０は、分包薬ＰＭを内部に収容する箱体である。本体ケース１０は、背面部が着脱自在のカバー１１となっており、カバー１１を取り外すことで、本体ケース１０の内部に複数の連なった分包薬ＰＭを折り畳んだ状態で収容することができる。
【００１８】
本体ケース１０の分包薬が収容される箇所の内幅（図６に示すＤ１）は、分包薬ＰＭの幅に合わせて設定されている。一般的に分包薬ＰＭの幅（図９示すＤ５）は６９ｍｍであり、長さ（図９に示すＬ１）は６０ｍｍ、７０ｍｍ又は８０ｍｍである。服薬支援装置１の使用中、分包薬ＰＭが本体ケース１０内でねじれたり斜めになったりしないよう、本体ケース１０の分包薬ＰＭが収容される箇所の内幅は６９ｍｍ〜７５ｍｍであることが好ましく、より好ましくは７０〜７２ｍｍである。
【００１９】
本体ケース１０は、収容される分包薬ＰＭが紫外線で劣化しないよう、有色の素材等、紫外線の透過を抑える素材から構成される。
【００２０】
本体ケース１０の上部は、図２、３、５、６に示すように、分包薬ＰＭが収容される下部に比べて側面が張出しており、この上部箇所に主動ローラー２０、従動ローラー３０、伝達部材４０、切断部材５０が設置され、また、排出口１２、確認用窓１３が形成されている。
【００２１】
図５、６に示すように、主動ローラー２０の両端部は、それぞれハンドル２３と連結しており、本体ケース１０の側面の穴を介して軸支されている。ユーザーがハンドル２３を回転させることにより、主動ローラー２０が回転する仕組みである。
【００２２】
また、従動ローラー３０は、主動ローラー２０に対して平行に配置されている。従動ローラー３０の両端部は、ストッパー３３と連結しており、本体ケース１０の側面の穴を介して軸支されている。
【００２３】
主動ローラー２０は、両側に全周に渡って径方向に突出する一対の挟持部２１を有する。また、従動ローラー３０も両側に全周に渡って径方向に突出する一対の挟持部３１を有する。挟持部２１、３１は、分包薬の側部を挟んで回転し、排出口１２へと搬送する。挟持部２１、３１は、分包薬を挟んで搬送できるよう、天然ゴムやシリコンゴムなどの樹脂素材等、摩擦係数が大きい素材から構成される。
【００２４】
なお、本体ケース１０の内壁面から挟持部２１、３１の内側までの距離（図６に示すＤ２）は、挟持部２１、３１とで分包薬の側部を挟持可能であればよく、５〜１０ｍｍ程度に設定される。したがって、両端の挟持部２１間の距離（図６に示すＤ３）は、４９〜６５ｍｍとなる。
【００２５】
挟持部２１、３１はそれぞれ主動ローラー２０、従動ローラー３０から径方向に突出しているので、挟持部２１、３１が接触した状態で主動ローラー２０と従動ローラー３０との間隔（図６に示すＤ４）が空いており、この間隔は５ｍｍ以上、好ましくは５〜１０ｍｍである。後述するように、分包薬ＰＭの薬剤Ｍｅは、主動ローラー２０、従動ローラー３０、及び、挟持部２１、３１で形成される空間を通過する。
【００２６】
従動ローラー３０が軸支される穴は、図７、８に示すように、長穴１４になっている。この長穴１４は、主動ローラー２０の軸方向に対して垂直な方向に延びるよう形成されている。これにより、従動ローラー３０は、主動ローラー２０の軸方向に対して垂直方向に移動可能になっている。この長穴１４は、従動ローラー３０が５〜１０ｍｍ程度移動可能な大きさであればよい。
【００２７】
そして、主動ローラー２０と従動ローラー３０とは、伝達部材４０により接続されている。ここでは、伝達部材４０は、環状の弾性体、具体的には、天然ゴムやシリコンゴム等の軟弾性を有するＯリングである。主動ローラー２０及び従動ローラー３０の挟持部２１、３１の両外側には、それぞれ円周上に溝２２、３２が形成されており、伝達部材４０がそれぞれの溝２２、３２に８の字に掛け回されている。
【００２８】
そして、図７に示すように、主動ローラー２０が回転すると、伝達部材４０も回転し、従動ローラー３０も付随して回転する仕組みである。伝達部材４０が８の字状に掛け回されているので、紙面上、主動ローラー２０が時計回りに回転すると、従動ローラー３０は反時計回りに回転する。また、主動ローラー２０が反時計回りに回転すると、従動ローラー３０は時計回りに回転する。また、伝達部材４０は環状の弾性体であるので、その張力によって、伝達部材４０は、常時、従動ローラー３０が主動ローラー２０に近接するよう引きつけている。
【００２９】
排出口１２は、本体ケース１０に収容されている分包薬ＰＭが排出される開口である。排出口１２は、主動ローラー２０及び従動ローラー３０よりも低い位置に開口されている。
【００３０】
切断部材５０は、排出口１２の上部に設置されており、分包紙ＷＰを切断し、分包薬ＰＭを開封する。排出口１２から排出された分包紙ＷＰを切断できればよく、例えば刃物が用いられる。切断部材５０は、排出口１２の端に一部配置されていればよいが、排出口１２の全幅に渡って配置されていてもよい。
【００３１】
確認用窓１３は、連なった分包薬ＰＭ同士の継ぎ目ＰＬをユーザーが視認するための開口である。
【００３２】
続いて、服薬支援装置１の動作について説明する。図１０、図１１に示すように、まず、ユーザーが、本体ケース１０のカバー１１を取り外し、複数の連なった分包薬ＰＭを本体ケース１０内に配置する。分包薬ＰＭを折り畳んだ状態で収容し、分包薬ＰＭの先端部両側が挟持部２１、３１の間に挟まれるよう配置した後、カバー１１を取り付ける。
【００３３】
そして、図１２、１３に示すように、ユーザーがハンドル２３を回転させると、主動ローラー２０及び従動ローラー３０が回転し、挟持部２１、３１に挟持されている分包薬ＰＭが搬送される。分包薬ＰＭは、主動ローラー２０及び従動ローラー３０にて下方へと折り返され、主動ローラー２０及び従動ローラー３０の下方に位置する排出口１２から排出されていく。
【００３４】
ユーザーは、確認用窓１３を介して分包薬ＰＭの移動状況を目視しつつハンドル２３を回転させ、分包薬ＰＭ同士の継ぎ目ＰＬが確認用窓１３を介して視認できる位置でハンドル２３の回転を停止する。
【００３５】
そして、ユーザーは排出口１２から排出されている分包薬ＰＭを持ち、分包薬ＰＭを切断部材５０に当て、上方へ引き上げるようにすることで、分包紙ＷＰが切断され、分包薬ＰＭが開封される。開封後、ユーザーは、この分包紙ＷＰに入っている薬剤を服用する。
【００３６】
このように、排出口１２から排出される分包薬ＰＭは、主動ローラー２０及び従動ローラー３０にて折り返されて下方に排出されるため、分包薬ＰＭが排出口１２から排出される際、分包薬ＰＭに内包されている薬剤Ｍｅは、重力によって分包薬ＰＭ内の下方に位置することになる。そして、切断する箇所は、排出される分包薬ＰＭの上部分であるため、切断箇所に薬剤Ｍｅが位置することがなく、安定的に開封することができる。
【００３７】
なお、図１６に示すように、分包薬ＰＭに内包される薬剤Ｍｅが紙面上左に寄って、挟持部２１、３１の箇所を通過するような場合においても、従動ローラー３０が主動ローラー２０から離間するように移動可能なので、挟持部２１と挟持部３１との間隔が空き、その間を薬剤Ｍｅが通過することができる。
【００３８】
また、分包薬ＰＭに内包される薬剤Ｍｅの嵩が主動ローラー２０と従動ローラー３０との間隔よりも大きい場合においても、上記と同様に従動ローラー３０が主動ローラー２０から離間するように移動し、薬剤Ｍｅは主動ローラー２０と従動ローラー３０との間を通過することができる。
【００３９】
分包薬ＰＭ内の薬剤Ｍｅは、主動ローラー２０、従動ローラー３０、及び、挟持部２１、３１とで形成される空間を通過する構成であるため、また、従動ローラー３０は主動ローラー２０から離間する方向に移動可能であるとともに、伝達部材４０によって従動ローラー３０が主動ローラー２０に常時引きつけられている構成であるため、薬剤Ｍｅとして嵩高い錠剤が内包されている分包薬ＰＭであっても安定的に搬送可能である。
【００４０】
上記の服薬支援装置１における上記のユーザーによる操作は、全て片手で操作することができる。したがって、服薬支援装置１は、一方の手に麻痺がある片麻痺患者のユーザーでも使用できる簡便さを有している。更に、服薬支援装置１は、簡易な構成であるため、製造コストを低減できるので、導入しやすい利点を有する。
【００４１】
なお、確認用窓１３の開口面の垂線から排出口１２までの垂直距離（図１０に示すＬ２）は８ｍｍ以上、好ましくは８〜１５ｍｍ程度に設定されていることが好ましい。分包薬ＰＭでは継ぎ目ＰＬから５ｍｍ程度接着部分があり、この接着部分を切断しても分包薬ＰＭは開封されない。したがって、確認用窓１３の開口面の垂線から排出口１２までの垂直距離が８ｍｍ以上あれば、ユーザーが確認用窓１３から継ぎ目ＰＬを視認した際に、分包薬ＰＭの接着されていない箇所を切断部材５０で切断することができる。
【００４２】
また、服薬支援装置１は、種々の変形例が許容される。例えば、主動ローラー２０と従動ローラー３０の位置関係が逆であってもよい。また、主動ローラー２０が従動ローラーから離間するよう移動可能な形態であってもよい。
【００４３】
また、本体ケース１０の収容部分の高さは、収容する分包薬ＰＭに応じて適宜設定されればよい。また、本体ケース１０の上部分と下部分が分離可能に構成され、下部分の高さが異なるものが取付可能な形態であってもよい。また、カバー１１は、脱着可能で本体ケース１０の内部へ分包薬ＰＭを収容可能であれば、どのような形態であってもよい。
【００４４】
また、上記では、ユーザーがハンドル２３を手で回転させて主動ローラー２０が回転する構成について説明したが、モータ駆動により主動ローラー２０を回転させる形態であってもよい。
【符号の説明】
【００４５】
１    服薬支援装置
１０    本体ケース
１１    カバー
１２    排出口
１３    確認用窓
１４    長穴
２０    主動ローラー
２１    挟持部
２２    溝
２３    ハンドル
３０    従動ローラー
３１    挟持部
３２    溝
３３    ストッパー
４０    伝達部材
５０    切断部材
ＰＭ    分包薬
ＷＰ    分包紙
Ｍｅ    薬剤
ＰＬ    継ぎ目
【要約】
【課題】片麻痺患者であっても使用しやすく、導入しやすい分包薬の服薬支援装置を提供する。
【解決手段】分包薬の服薬支援装置１は、連なった分包薬が収容され、分包薬の排出口１２が形成されている本体ケース１０と、本体ケース１０内に配置される主動ローラーと、本体ケース１０内に主動ローラーに対して平行に配置され、主動ローラーの回転に追従して回転する従動ローラーと、主動ローラーの回転を従動ローラーに伝える伝達部材と、排出口１２に配置された切断部材５０と、を備える。排出口１２は主動ローラー及び従動ローラーよりも低い位置に配置されており、分包薬は、主動ローラーと従動ローラーとで挟まれて主動ローラーの回転によって搬送され、主動ローラー及び従動ローラーにて下方に折り返されて排出口５０から排出される。
【選択図】図１【図１】
0006865453.tif 000002
【図２】
0006865453.tif 000003
【図３】
0006865453.tif 000004
【図４】
0006865453.tif 000005
【図５】
0006865453.tif 000006
【図６】
0006865453.tif 000007
【図７】
0006865453.tif 000008
【図８】
0006865453.tif 000009
【図９】
0006865453.tif 000010
【図１０】
0006865453.tif 000011
【図１１】
0006865453.tif 000012
【図１２】
0006865453.tif 000013
【図１３】
0006865453.tif 000014
【図１４】
0006865453.tif 000015
【図１５】
0006865453.tif 000016
【図１６】
0006865453.tif 000017